(57)【要約】【課題】装置が大型化することを抑制し、剥離シートから接着シートを確実に剥離して供給することができる技術を提供すること。【解決手段】剥離シートＲＬに接着シートＡＳが仮着された原反ＲＳを繰り出す繰出手段１０と、繰出手段１０で繰り出される原反ＲＳ剥離シートＲＬを折り返し、当該剥離シートＲＬから接着シートＡＳを剥離して供給する剥離手段２０と、剥離手段２０での剥離シートＲＬの折返し角度θを変更する折返し角度変更手段３０とを備え、折返し角度変更手段３０は、剥離手段２０で折り返される剥離シートＲＬに付与する張力を変更することで、折返し角度θを変更する。【選択図】図１
2019153640.tif 000002
【特許請求の範囲】
【請求項１】
剥離シートに接着シートが仮着された原反を繰り出す繰出手段と、
前記繰出手段で繰り出される前記原反の前記剥離シートを折り返し、当該剥離シートから前記接着シートを剥離して供給する剥離手段と、
前記剥離手段での前記剥離シートの折返し角度を変更する折返し角度変更手段とを備え、
前記折返し角度変更手段は、前記剥離手段で折り返される前記剥離シートに付与する張力を変更することで、前記折返し角度を変更することを特徴とするシート供給装置。
【請求項２】
前記剥離手段で剥離された接着シートの繰出方向先端部を検知する先端検知手段を備え、
前記折返し角度変更手段は、前記先端検知手段の検知結果を基にして、前記剥離手段で折り返される前記剥離シートに付与する張力を変更することを特徴とする請求項１に記載のシート供給装置。
【請求項３】
前記折返し角度変更手段は、１枚の接着シートが前記剥離シートから剥離されるシート剥離動作中において、当該接着シートの繰出方向先端部が前記剥離シートから剥離される剥離初期段階での前記折返し角度を、他の段階での前記折返し角度に比べて小さくなるように変更することを特徴とする請求項１または請求項２に記載のシート供給装置。
【請求項４】
請求項１乃至請求項３のいずれかに記載のシート供給装置を用いたシート貼付装置において、
前記剥離手段で剥離された前記接着シートを被着体に押圧して貼付する押圧手段を備えていることを特徴とするシート貼付装置。
【請求項５】
剥離シートに接着シートが仮着された原反を繰り出す繰出工程と、
前記繰出工程で繰り出される前記原反の前記剥離シートを折り返し、当該剥離シートから前記接着シートを剥離して供給する剥離工程と、
前記剥離工程での前記剥離シートの折返し角度を変更する折返し角度変更工程とを実施し、
前記折返し角度変更工程は、前記剥離工程で折り返される前記剥離シートに付与する張力を変更することで、前記折返し角度を変更することを特徴とするシート供給方法。
【請求項６】
請求項５に記載のシート供給方法を用いたシート貼付方法において、
前記剥離工程で剥離された前記接着シートを被着体に押圧して貼付する押圧工程を実施することを特徴とするシート貼付方法。
【発明の詳細な説明】
【技術分野】
【０００１】
本発明は、シート供給装置およびシート供給方法、並びに、シート貼付装置およびシート貼付方法に関する。
【背景技術】
【０００２】
従来、剥離シートの折返し角度を変更可能な折返し角度変更手段を備えたシート供給装置が知られている（例えば、特許文献１参照）。
【先行技術文献】
【特許文献】
【０００３】
【特許文献１】特開２０１５−２２９５８１号公報
【発明の概要】
【発明が解決しようとする課題】
【０００４】
特許文献１に記載された従来のシート供給装置では、剥離シートＲＬ（剥離シート）の折返し角度を変更する際、折返し部材３１（折返し角度変更手段）の回転スペースを形成する変位スペース形成手段４０が必要となり、装置が大型化するという不都合を発生する。
【０００５】
本発明の目的は、装置が大型化することを抑制し、剥離シートから接着シートを確実に剥離して供給することができるシート供給装置およびシート供給方法、並びに、シート貼付装置およびシート貼付方法を提供することにある。
【課題を解決するための手段】
【０００６】
本発明は、請求項に記載した構成を採用した。
【発明の効果】
【０００７】
本発明によれば、剥離シートに付与する張力を変更することで、当該剥離シートの折返し角度を変更するので、装置が大型化することを抑制し、剥離シートから接着シートを確実に剥離して供給することができる。
また、先端検知手段の検知結果を基にして剥離シートの張力を変更する構成とすれば、剥離シートから接着シートを確実に剥離して供給することができる。
さらに、１枚の接着シートのシート剥離動作中において、剥離初期段階での折返し角度を、他の段階での折返し角度に比べて小さくなるように変更すれば、当該接着シートにおける繰出方向先端部を確実に剥離シートから剥離して剥離の切っ掛け部を作ることができるとともに、当該接着シートにおける剥離の切っ掛け部以外の部分が剥離シートから剥離される際、当該剥離シートに余分な張力や折り曲げ力等が加わることを抑制し、当該剥離シートが切断することを防止することができる。
また、本発明のシート供給装置を用いたシート貼付装置とすれば、装置が大型化することを抑制し、剥離シートから接着シートを確実に剥離して供給することができるシート貼付装置を提供することができる。
【図面の簡単な説明】
【０００８】
【図１】（Ａ）〜（Ｃ）は、本発明の実施形態に係るシート供給装置を用いたシート貼付装置の説明図。
【図２】（Ａ）〜（Ｄ）は、本発明の変形例の説明図。
【発明を実施するための形態】
【０００９】
以下、本発明の実施形態を図面に基づいて説明する。
なお、本実施形態におけるＸ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、本実施形態では、Ｙ軸と平行な図１（Ａ）中手前方向から観た場合を基準とし、図を指定することなく方向を示した場合、「上」がＺ軸の矢印方向で「下」がその逆方向、「左」がＸ軸の矢印方向で「右」がその逆方向、「前」がＹ軸と平行な図１（Ａ）中手前方向で「後」がその逆方向とする。また、図１（Ａ）以外において、方向を示す矢印を記載していない図は、全て図１（Ａ）と同じ方向から観た図とする。
【００１０】
本発明のシート供給装置ＥＡは、剥離シートＲＬに接着シートＡＳが仮着された原反ＲＳを繰り出す繰出手段１０と、繰出手段１０で繰り出される原反ＲＳの剥離シートＲＬを折り返し、当該剥離シートＲＬから接着シートＡＳを剥離して供給する剥離手段としての剥離板２０と、剥離板２０での剥離シートＲＬの折返し角度θを変更する折返し角度変更手段３０と、剥離板２０で剥離された接着シートＡＳの繰出方向先端部ＡＳＦを検知するカメラや投影機等の撮像手段や、光学センサや超音波センサ等の各種センサ等の先端検知手段４０とを備え、剥離板２０で剥離された接着シートＡＳを被着体ＷＫに押圧して貼付する押圧手段としての押圧ローラ５０と併せてシート貼付装置ＳＡを形成し、当該シート貼付装置ＳＡと被着体ＷＫとを相対移動させる移動手段６０の上方に配置されている。
【００１１】
繰出手段１０は、原反ＲＳを支持する支持ローラ１１と、原反ＲＳを案内するガイドローラ１２と、駆動機器としての回動モータ１３Ａの図示しない出力軸に支持され、ピンチローラ１３Ｂとで原反ＲＳを挟み込む繰出ローラ１３と、駆動機器としての回動モータ１４Ａの図示しない出力軸に支持され、ピンチローラ１４Ｂとで剥離シートＲＬを挟み込む送りローラ１４と、ピンチローラ１４Ｂとの間に存在する剥離シートＲＬに常に所定の張力を付与して当該剥離シートＲＬを回収する回収ローラ１５と、先頭の接着シートＡＳの繰出方向後端部ＡＳＲと剥離シートＲＬとのシート後方段差をその検出部１６Ａで検知する原反停止センサ１６とを備えている。
【００１２】
折返し角度変更手段３０は、剥離板２０で折り返される剥離シートＲＬに張力を付与する張力付与部材３１と、剥離シートＲＬの折返し姿勢を形成する折返し姿勢形成部材３２とを備え、剥離板２０で折り返される剥離シートＲＬに付与する張力を変更することで、折返し角度θを変更するように構成されている。
張力付与部材３１は、繰出手段１０の構成物の一部と共有されており、繰出ローラ１３と、回動モータ１３Ａと、ピンチローラ１３Ｂと、送りローラ１４と、回動モータ１４Ａと、ピンチローラ１４Ｂとで構成されている。
折返し姿勢形成部材３２は、スペーサ３２Ａを介して剥離板２０に支持され、弾性変形が可能に設けられた板バネ３２Ｂを備えている。
なお、本実施形態では、折返し角度変更手段３０は、先端検知手段４０の検知結果を基にして、剥離板２０で折り返される剥離シートＲＬに付与する張力を変更するように構成されている。また、折返し角度変更手段３０は、１枚の接着シートＡＳが剥離シートＲＬから剥離されるシート剥離動作中において、当該接着シートＡＳの繰出方向先端部ＡＳＦが剥離シートＲＬから剥離される剥離初期段階での折返し角度θを、他の段階での折返し角度θに比べて小さくなるように変更する。
【００１３】
移動手段６０は、駆動機器としてのリニアモータ６１と、そのスライダ６１Ａに支持され、減圧ポンプや真空エジェクタ等の図示しない減圧手段（保持手段）によって吸着保持が可能な支持面６２Ａを有する支持テーブル６２とを備えている。
【００１４】
以上のシート貼付装置ＳＡの動作を説明する。
先ず、図１中実線で示す初期位置に各部材が配置されたシート貼付装置ＳＡに対し、当該シート貼付装置ＳＡの使用者（以下、単に「使用者」という）が、剥離板２０で折り返される剥離シートＲＬに付与する張力として、剥離シートＲＬに極力負担をかけずに当該剥離シートＲＬから接着シートＡＳを剥離することができる第１張力と、当該第１張力よりも大きな第２張力とを操作パネルやパーソナルコンピュータ等の図示しない操作手段を介して入力する。次いで、使用者が同図のように原反ＲＳをセットした後、図示しない操作手段を介して運転開始の信号を入力すると、繰出手段１０および折返し角度変更手段３０が回動モータ１３Ａ、１４Ａを駆動し、剥離板２０で折り返される剥離シートＲＬに第１張力を付与しつつ原反ＲＳを繰り出す。すると、図１（Ｂ）に示すように、板バネ３２Ｂが所定量撓み、剥離板２０で折り返される折返し角度θが第１折返し角度θ１となり、当該第１折返し角度θ１が維持されつつ原反ＲＳが繰り出され、原反停止センサ１６がシート後方段差を検知すると、繰出手段１０および折返し角度変更手段３０が回動モータ１３Ａ、１４Ａの駆動を停止し、当該原反ＲＳの繰り出しを停止する。なお、本実施形態では、剥離シートＲＬとして切断され易いものが採用された場合を想定し、第１折返し角度θ１が極力緩やかな角度となるように、当該剥離シートＲＬに付与する第１張力が設定されている。
ここで、上記の要領で原反ＲＳを繰り出して当該繰り出しを停止すると、通常であれば、図１（Ａ）に示すように、先頭の接着シートＡＳの繰出方向先端部ＡＳＦが剥離板２０の剥離縁２０Ａで剥離され、当該繰出方向先端部ＡＳＦが先端検知手段４０で検知されてシート貼付装置ＳＡがスタンバイ状態となる。
【００１５】
一方、上記の要領で原反ＲＳを繰り出して当該繰り出しを停止した際、図１（Ｂ）に示すように、先頭の接着シートＡＳの繰出方向先端部ＡＳＦが剥離シートＲＬと共に送りローラ１４方向に繰り出され、当該繰出方向先端部ＡＳＦが先端検知手段４０に検知されない場合、シート貼付装置ＳＡ（シート供給装置ＥＡ）は、以下の再剥離動作を行う。
この再剥離動作は、先ず、繰出手段１０が回動モータ１３Ａ、１４Ａを駆動し、先頭の接着シートＡＳの繰出方向先端部ＡＳＦが、剥離板２０の剥離縁２０Ａで折り返される前の位置に達するまで原反ＲＳを引き戻す。次いで、繰出手段１０および折返し角度変更手段３０が回動モータ１３Ａ、１４Ａを駆動し、剥離板２０で折り返される剥離シートＲＬに第２張力を付与し、図１（Ｃ）に示すように、第１張力で板バネ３２Ｂを撓ませたときよりも板バネ３２Ｂを大きく撓ませ、折返し角度θを第１折返し角度θ１よりも小さな第２折返し角度θ２として剥離シートＲＬを折り返し、当該第２折返し角度θ２を維持しつつ原反ＲＳを繰り出す。これにより、剥離シートＲＬに大きな張力が付与される上、当該剥離シートＲＬの折返し角度θが減少することで、接着シートＡＳは、剥離シートＲＬから剥離し易くなり、上記の要領で原反ＲＳを繰り出して当該繰り出しを停止すると、図１（Ｃ）に示すように、先頭の接着シートＡＳの繰出方向先端部ＡＳＦが剥離板２０の剥離縁２０Ａで剥離される。そして、繰出方向先端部ＡＳＦが先端検知手段４０で検知されると、折返し角度変更手段３０が回動モータ１３Ａ、１４Ａを駆動し、剥離シートＲＬを回収ローラ１５側から引き出しつつ、剥離板２０で折り返される剥離シートＲＬに第１張力を付与し、剥離シートＲＬの折返し角度θを第１折返し角度θ１とした後、シート貼付装置ＳＡがスタンバイ状態となる。
【００１６】
シート貼付装置ＳＡがスタンバイ状態となった後、使用者または多関節ロボットやベルトコンベア等の図示しない搬送手段が、被着体ＷＫを支持テーブル６２上に載置すると、移動手段６０が図示しない減圧手段を駆動し、支持面６２Ａでの被着体ＷＫの吸着保持を開始する。その後、移動手段６０がリニアモータ６１を駆動し、支持テーブル６２を左方へ移動させ、被着体ＷＫが所定の位置に到達すると、繰出手段１０および折返し角度変更手段３０が回動モータ１３Ａ、１４Ａを駆動し、被着体ＷＫの移動速度に合わせて原反ＲＳを繰り出す。このとき、繰出手段１０および折返し角度変更手段３０は、剥離板２０で折り返される折返し角度θが第１折返し角度θ１を維持するように、剥離板２０で折り返される剥離シートＲＬに第１張力を付与しつつ原反ＲＳを繰り出す。これにより、接着シートＡＳは、図１（Ａ）中二点鎖線で示すように、剥離板２０の剥離縁２０Ａで剥離シートＲＬから剥離されつつ、押圧ローラ５０によって被着体ＷＫの上面に押圧されて貼付される。この際、剥離シートＲＬに極力負担をかけずに当該剥離シートＲＬから接着シートＡＳを剥離することができるので、当該剥離シートＲＬが切断されることを防止することができる。
【００１７】
接着シートＡＳ全体が被着体ＷＫに貼付された後、原反停止センサ１６が再びシート後方段差を検知すると、繰出手段１０および折返し角度変更手段３０が回動モータ１３Ａ、１４Ａの駆動を停止し、原反ＲＳの繰り出しを停止する。このときも、繰出手段１０および折返し角度変更手段３０は、繰出方向先端部ＡＳＦが先端検知手段４０に検知されない場合、上記の再剥離動作を行い、当該繰出方向先端部ＡＳＦが先端検知手段４０に検知されると、シート貼付装置ＳＡが再びスタンバイ状態となる。
【００１８】
次に、接着シートＡＳ全体が貼付された被着体ＷＫが押圧ローラ５０の左方の所定位置に到達すると、移動手段６０がリニアモータ６１および図示しない減圧手段の駆動を停止する。そして、使用者または図示しない搬送手段が、接着シートＡＳが貼付された被着体ＷＫを次の工程に搬送した後、移動手段６０がリニアモータ６１を駆動し、支持テーブル６２を初期位置に復帰させ、以降、上記同様の動作が繰り返される。
【００１９】
以上のような実施形態によれば、剥離シートＲＬに付与する張力を変更することで、当該剥離シートの折返し角度θを変更するので、装置が大型化することを抑制し、剥離シートＲＬから接着シートＡＳを確実に剥離して供給することができる。
【００２０】
本発明における手段および工程は、それら手段および工程について説明した動作、機能または工程を果たすことができる限りなんら限定されることはなく、まして、前記実施形態で示した単なる一実施形態の構成物や工程に全く限定されることはない。例えば、繰出手段は、剥離シートに接着シートが仮着された原反を繰り出すことが可能なものであれば、出願当初の技術常識に照らし合わせ、その技術範囲内のものであればなんら限定されることはない（その他の手段および工程も同じ）。
【００２１】
例えば、繰出手段１０は、剥離シートＲＬに仮着された帯状の接着シート基材に閉ループ状または短寸幅方向全体の切込が形成されることで、その切込で仕切られた所定の領域が接着シートＡＳとされた原反ＲＳを繰り出してもよいし、帯状の接着シート基材が剥離シートＲＬに仮着された原反ＲＳが採用された場合、切断手段により、接着シート基材に閉ループ状または短寸幅方向全体の切込を形成し、その切込で仕切られた所定の領域を接着シートＡＳとしてもよく、これらの場合、原反停止センサ１６がシート後方段差を検知できるように、検出部１６Ａの前段で、接着シート基材における接着シートＡＳ以外の部分を剥離シートＲＬ上から除去する除去手段を採用してもよいし、シート後方段差がなくても、切込を検知可能な適宜なセンサを設けてもよい。
繰出手段１０は、支持ローラ１１やガイドローラ１２等の各ローラの代わりに板状部材やシャフト部材等で原反ＲＳや剥離シートＲＬを支持したり案内したりしてもよいし、原反ＲＳを巻回することなく例えばファンフォールド折りにして支持してもよいし、原反停止センサとして、カメラや投影機等の撮像手段や、光学センサや超音波センサ等の各種センサ等を採用してもよいし、剥離シートＲＬを巻回することなく例えばファンフォールド折りにしたり、シュレッダ等で切り刻んだりして回収してもよいし、剥離シートＲＬを回収しなくてもよいし、先頭以外の接着シートＡＳのシート後方段差を検出部１６Ａで検知してもよいし、先頭の接着シートＡＳ以外の繰出方向先端部ＡＳＦと剥離シートＲＬとのシート前方段差等を検出部１６Ａで検知してもよいし、その他の位置のシート段差を検出部１６Ａで検知してもよい。
【００２２】
折返し角度変更手段３０は、剥離初期段階と他の段階とで折返し角度θを変更しなくてもよいし、剥離初期段階での折返し角度θを、他の段階での折返し角度θに比べ大きくなるように変更しもよいし、接着シートＡＳの繰出方向先端部ＡＳＦが先端検知手段４０に検知されなかった際、原反ＲＳを引き戻すことなく、回動モータ１４Ａを駆動し、剥離板２０で折り返される剥離シートＲＬに先に付与した張力よりも大きな張力を付与し、折返し角度θを減少させる再繰出なしの再剥離動作を所定回（１回または複数回）行ってもよい。
折返し角度変更手段３０は、張力付与部材３１として、繰出手段１０の構成物の一部と共有されることのない繰出ローラ１３、回動モータ１３Ａ、ピンチローラ１３Ｂ、送りローラ１４、回動モータ１４Ａ、ピンチローラ１４Ｂと同等なもので、剥離板２０で折り返される剥離シートＲＬに張力を付与する構成を採用したり、例えば、前記実施形態の繰出ローラ１３と送りローラ１４との間に位置する剥離シートＲＬを押し上げたり引き下げたりすることで、剥離板２０で折り返される剥離シートＲＬに張力を付与する構成を採用したりしてもよく、剥離板２０で折り返される剥離シートＲＬに付与する張力を変更することで、折返し角度θを変更することができれば、どのような構成でもよい。
折返し角度変更手段３０は、折返し姿勢形成部材３２として、図２（Ａ）に示すように、付勢手段としてのバネ３２Ｃに回転自在に支持されたローラ３２Ｄで構成され、剥離板２０で折り返される剥離シートＲＬに付与する張力を変更することで、バネ３２Ｃを伸縮させ、折返し角度θを変更可能なものを採用してもよいし、図２（Ｂ）に示すように、所定の空気圧やトルクでその出力軸３２Ｆに付勢力を付与するエアシリンダや直動モータ等の付勢手段３２Ｅと、出力軸３２Ｆに回転自在に支持されたローラ３２Ｇとで構成され、剥離板２０で折り返される剥離シートＲＬに付与する張力を変更することで、出力軸３２Ｆを突没させ、折返し角度θを変更可能なものを採用してもよいし、図２（Ｃ）に示すように、所定のトルクでその出力軸３２Ｊに付勢力を付与する回動モータ等の付勢手段３２Ｈと、出力軸３２Ｊに回転自在に支持されたブレード部材３２Ｋとで構成され、剥離板２０で折り返される剥離シートＲＬに付与する張力を変更することで、ブレード部材３２Ｋを回動させ、折返し角度θを変更可能なものを採用してもよいし、図２（Ｄ）に示すように、剥離板２０に形成された切欠２０Ｂ内に支持軸３２Ｌを介して回転自在に支持され、付勢手段としての図示しないバネによって反時計回転方向に付勢された回転ブレード部材３２Ｍで構成され、剥離板２０で折り返される剥離シートＲＬに付与する張力を変更することで、図示しないバネを伸縮させ、折返し角度θを変更可能なものを採用してもよく、剥離板２０で折り返される剥離シートＲＬに付与する張力を変更することで、折返し角度θを変更可能な構成であれば、どのような構成でもよい。
【００２３】
先端検知手段４０は、接着シートＡＳの繰出方向先端部ＡＳＦに接触し、当該繰出方向先端部ＡＳＦが剥離シートＲＬから剥離されたことを検出可能な接触型の各種センサを採用してもよいし、本発明のシート供給装置ＥＡやシート貼付装置ＳＡに備わっていなくてもよく、当該先端検知手段４０が本発明のシート供給装置ＥＡやシート貼付装置ＳＡに備わっていない場合、剥離板２０で新たな接着シートＡＳの繰出方向先端部ＡＳＦが剥離シートＲＬから剥離されたタイミングで、上記の再剥離動作や再繰出なしの再剥離動作を所定回（１回または複数回）行うようにしてもよい。
【００２４】
押圧手段は、シート供給装置ＥＡから供給された接着シートＡＳを接着面の反対から保持部材で保持し、保持した接着シートＡＳを被着体ＷＫに押圧して貼付する駆動機器を備えた構成でもよいし、押圧ローラ５０を被着体ＷＫに離間接近させる押圧部材接離手段としての駆動機器を備え、被着体ＷＫにストレスがかかったり損傷したりすることを防止するようにしてもよく、このような押圧部材接離手段としては、駆動機器以外に手動で押圧ローラ５０を移動させるものでもよい。
【００２５】
移動手段６０は、被着体ＷＫを移動させずにまたは移動させつつ、シート貼付装置ＳＡおよび押圧ローラ５０を移動させてもよいし、保持手段がなくてもよいし、本発明のシート供給装置ＥＡまたはシート貼付装置ＳＡを構成する構成物として備わっていてもよいし、他の装置で被着体ＷＫを支持または搬送する場合、本発明のシート供給装置ＥＡまたはシート貼付装置ＳＡに備わっていなくてもよい。
【００２６】
シート供給装置ＥＡまたはシート貼付装置ＳＡは、先端検知手段４０が繰出方向先端部ＡＳＦを検知するまで再剥離動作を何度繰り返してもよいし、第１張力、第２張力以外に他の張力を１つまたは複数設定しておき、再剥離動作を繰り返す度に、様々な張力を付与し、様々な折返し角度θで剥離シートＲＬを剥離板２０で折り返してもよいし、再剥離動作では、剥離板２０で折り返される剥離シートＲＬに付与する張力を一定とし、一定の折返し角度θで剥離シートＲＬを剥離板２０で複数回折り返してもよいし、再剥離動作を所定回数行っても、先端検知手段４０による繰出方向先端部ＡＳＦの検知が行われない場合、回動モータ１３Ａ、１４Ａの駆動を停止した後、ランプやブザー等の図示しない警告手段を駆動して使用者に知らせ、当該使用者が繰出方向先端部ＡＳＦを剥離シートＲＬから剥離するようにしてもよいし、再剥離動作を繰り返す度に、剥離板２０で折り返される剥離シートＲＬに付与する張力を、先に付与した張力よりも大きくしたり小さくしたりして、折返し角度θを減少させたり増大させたりしてもよいし、再剥離動作を繰り返す度に、剥離板２０で折り返される剥離シートＲＬに付与する張力をランダムで減少させたり増大させたりして、折返し角度θをランダムで減少させたり増大させたりしてもよいし、再剥離動作や再繰出なしの再剥離動作を行わなくてもよいし、剥離シートＲＬ、接着シートＡＳまたは原反ＲＳの特性、特質、性質、材質、組成、構成、形状、寸法および重量や、雰囲気の条件や、その他の要因等を考慮して、使用者が、剥離板２０で折り返される剥離シートＲＬに付与する張力および剥離シートＲＬの折返し角度θを任意に設定してもよいし、例えば、折返し角度θ（θ１、θ２またはその他に設定する折返し角度）が１７９度、９０度、４５度、１０度、１度または１度以下等になるように、剥離板２０で折り返される剥離シートＲＬに付与する張力を設定してもよいし、第１張力と第２張力との組み合わせをどのような張力の組み合わせとしてもよいし、剥離シートＲＬ、接着シートＡＳまたは原反ＲＳの特性、特質、性質、材質、組成、構成、形状、寸法および重量や、雰囲気の条件や、その他の要因等を考慮して、剥離板２０で折り返される剥離シートＲＬに付与する張力を１つに設定し、当該剥離シートＲＬから接着シートＡＳを剥離して供給する構成でもよいし、剥離板２０で折り返される剥離シートＲＬに付与する張力を予め当該シート供給装置ＥＡまたはシート貼付装置ＳＡの図示しない制御手段が記憶していてもよい。
シート供給装置ＥＡは、天地反転して配置したり横向きに配置したりして、接着シートＡＳを供給してもよいし、例えば、接着シートＡＳを複数枚ずつ段積みする接着シート段積み装置や、接着シートＡＳを他の剥離シートに転写する転写装置等、シート貼付装置ＳＡ以外のものの構成物として使用されてもよいし、接着シートＡＳを人手で被着体ＷＫに貼付する半自動のシート貼付装置として単独で使用されてもよい。
シート貼付装置ＳＡは、天地反転して配置したり横向きに配置したりして、接着シートＡＳを被着体ＷＫに貼付してもよい。
【００２７】
本発明における接着シートＡＳおよび被着体ＷＫの材質、種別、形状等は、特に限定されることはない。例えば、接着シートＡＳは、円形、楕円形、三角形や四角形等の多角形、その他の形状であってもよいし、感圧接着性、感熱接着性等の接着形態のものであってもよく、感熱接着性の接着シートＡＳが採用された場合は、当該接着シートＡＳを加熱する適宜なコイルヒータやヒートパイプの加熱側等の加熱手段を設けるといった適宜な方法で接着されればよい。また、このような接着シートＡＳは、例えば、接着剤層だけの単層のもの、基材と接着剤層との間に中間層を有するもの、基材の上面にカバー層を有する等３層以上のもの、更には、基材を接着剤層から剥離することのできる所謂両面接着シートのようなものであってもよく、両面接着シートは、単層又は複層の中間層を有するものや、中間層のない単層又は複層のものであってよい。また、被着体ＷＫとしては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂等の単体物であってもよいし、それら２つ以上で形成された複合物であってもよく、任意の形態の部材や物品なども対象とすることができる。なお、接着シートＡＳは、機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意のシート、フィルム、テープ等でもよい。
【００２８】
前記実施形態における駆動機器は、回動モータ、直動モータ、リニアモータ、単軸ロボット、２軸または３軸以上の関節を備えた多関節ロボット等の電動機器、エアシリンダ、油圧シリンダ、ロッドレスシリンダ及びロータリシリンダ等のアクチュエータ等を採用することができる上、それらを直接的又は間接的に組み合せたものを採用することもできる。
前記実施形態において、ローラ等の回転部材が採用されている場合、当該回転部材を回転駆動させる駆動機器を備えてもよいし、回転部材の表面や回転部材自体をゴムや樹脂等の変形可能な部材で構成してもよいし、回転部材の表面や回転部材自体を変形しない部材で構成してもよいし、ローラの代わりに回転するまたは回転しないシャフトやブレード等の他の部材を採用してもよいし、押圧ローラや押圧ヘッド等の押圧手段や押圧部材といった被押圧物を押圧するものが採用されている場合、上記で例示したものに代えてまたは併用して、ローラ、丸棒、ブレード材、ゴム、樹脂、スポンジ等の部材を採用したり、大気やガス等の気体の吹き付けにより押圧する構成を採用したりしてもよいし、押圧するものをゴムや樹脂等の変形可能な部材で構成してもよいし、変形しない部材で構成してもよいし、剥離板や剥離ローラ等の剥離手段や剥離部材といった被剥離物を剥離するものが採用されている場合、上記で例示したものに代えてまたは併用して、板状部材、丸棒、ローラ等の部材を採用してもよいし、剥離するものをゴムや樹脂等の変形可能な部材で構成してもよいし、変形しない部材で構成してもよいし、支持（保持）手段や支持（保持）部材等の被支持部材を支持または保持するものが採用されている場合、メカチャックやチャックシリンダ等の把持手段、クーロン力、接着剤（接着シート、接着テープ）、粘着剤（粘着シート、粘着テープ）、磁力、ベルヌーイ吸着、吸引吸着、駆動機器等で被支持部材を支持（保持）する構成を採用してもよいし、切断手段や切断部材等の被切断部材を切断または、被切断部材に切込や切断線を形成するものが採用されている場合、上記で例示したものに代えてまたは併用して、カッター刃、レーザカッタ、イオンビーム、火力、熱、水圧、電熱線、気体や液体等の吹付け等で切断するものを採用したり、適宜な駆動機器を組み合わせたもので切断するものを移動させて切断するようにしたりしてもよいし、付勢手段が採用されている場合、ばね、ゴム、樹脂等で構成してもよい。
【符号の説明】
【００２９】
ＥＡ…シート供給装置
ＳＡ…シート貼付装置
１０…繰出手段
２０…剥離板（剥離手段）
３０…折返し角度変更手段
４０…先端検知手段
５０…押圧ローラ（押圧手段）
ＡＳ…接着シート
ＡＳＦ…繰出方向先端部
ＲＬ…剥離シート
ＲＳ…原反
ＷＫ…被着体
θ…折返し角度
【図１】
2019153640.tif 000003
【図２】
2019153640.tif 000004